(57)【要約】【課題】着脱・移動可能な肩乗せ手段を有したデジタルビデオカメラに於いては、製造工程での製品の状態と実際に使用する場合とで形態が異なっている。そのため、製造工程で本体を調整するために使用する接続手段を安定して使用できる状態を提供する必要が生じていた。【解決手段】本体部の底面側に着脱移動可能な肩当て手段を有する撮像装置に於いて、前記肩当て手段を取り付ける面よりも下側に突出した突起部の突出量が略等しく、前記突起部は少なくとも３か所設けられ、前記突起部のうち少なくとも１つには操作部または端子部が配置されている。【選択図】図４
2017139586.tif 000002
【特許請求の範囲】
【請求項１】
本体部の底面側に着脱移動可能な肩当て手段を有する撮像装置に於いて、前記肩当て手段を取り付ける面よりも下側に突出した突起部を少なくとも３か所有し、前記突起部同士の突出量が等しく、前記突起部のうち少なくとも１つには操作部または端子部が配置されていることを特徴とする撮像装置。
【請求項２】
前記突起部は前記本体部の後ろ面側に１か所と前面側に２か所設けられ、前記肩当て手段は前記前面側に設けられた２か所の突起部の間を移動可能に構成されていることを特徴とする請求項１に記載の撮像装置。
【請求項３】
前記突起部に設けられた端子部のうち少なくとも１つは前記肩当て手段を取り付けた状態で接続困難になることを特徴とする請求項１に記載の撮像装置。
【請求項４】
前記使用困難になる端子部は製造段階や本体の調整を行うための接続手段であることを特徴とする請求項３に記載の撮像装置。
【発明の詳細な説明】
【技術分野】
【０００１】
本発明は、着脱・移動可能な肩乗せ手段を有した撮像装置に関する。
【背景技術】
【０００２】
従来より特許文献１のように、デジタルビデオカメラに於いて製造工程で使用する接続手段を配置する場所は限定されていた。
【先行技術文献】
【特許文献】
【０００３】
【特許文献１】特開２００８−１７７７９９号公報
【発明の概要】
【発明が解決しようとする課題】
【０００４】
特許文献１に示されたような一体型デジタルビデオカメラではなく、着脱・移動可能な肩乗せ手段を有したデジタルビデオカメラに於いては、製造工程での製品の状態と実際に使用する場合とで形態が異なっている。そのため、製造工程で本体を調整するために使用する接続手段を安定して使用できる状態を提供する必要が生じていた。
【０００５】
上記のような課題を鑑み、本発明は、製造工程に於いて調整等を行う接続手段を接続しても安定した姿勢を保持することが可能な撮像装置を提供することを目的とする。
【課題を解決するための手段】
【０００６】
上記の目的を達成するために、本発明に係る撮像装置は
本体部の底面側に着脱移動可能な肩当て手段を有し、前記肩当て手段を取り付ける面よりも下側に突出した突起部の突出量が略等しく、前記突起部は少なくとも３か所設けられ、前記突起部のうち少なくとも１つには操作部または端子部が配置されていることを特徴とする。
【発明の効果】
【０００７】
本発明に係る撮像装置によれば、着脱・移動可能な肩乗せ手段を有したデジタルビデオカメラに於いては、製造工程での製品の状態と実際に使用する場合とで形態が異なっている。そのため、製造工程で本体を調整するために使用する接続手段を安定して使用できる状態を提供することができる。
【図面の簡単な説明】
【０００８】
【図１】デジタルビデオカメラ１０１の外観斜視図
【図２】デジタルビデオカメラ１０１にレンズを取り付けた使用状態の斜視図及び下面図
【図３】デジタルビデオカメラ１０１の実際の使用状態を示す図
【図４】デジタルビデオカメラ１０１から下面前後移動肩当てユニット１０７を外した状態の斜視図
【図５】デジタルビデオカメラ１０１に左側面前面下側突起部１０６が無かった場合の状態を示す図
【図６】デジタルビデオカメラ１０１から下面前後移動肩当てユニット１０７を取り外した状態の下側斜視図
【図７】デジタルビデオカメラ１０１から下面前後移動肩当てユニット１０７を取り外した状態の下側斜視図
【図８】デジタルビデオカメラ１０１本体に下面前後移動肩当てユニット１０７を取り付けた時の左側面図で工程端子７０１の位置関係が分かる状態の図
【発明を実施するための形態】
【０００９】
以下、本発明を実施するための形態を図面に基づいて説明する。
【００１０】
＜第１の実施形態＞
図１の（ａ）、（ｂ）、（ｃ）に、本実施例におけるデジタルビデオカメラ１０１の外観斜視図を示す。以降の説明に用いる前後上下左右は図示の座標系ｘｙｚ１０２に則る。ｘ方向の矢印方向が前、矢印と反対方向が後、ｙ方向の矢印方向が上、矢印と反対方向が下、ｚ方向の矢印方向が右、矢印と反対方向が左とする。
【００１１】
図１（ａ）に示す通り、デジタルビデオカメラ１０１は前面に交換レンズを取り付ける交換レンズマウント部１０３を有する。また、デジタルビデオカメラ１０１の前面には右側面前面下側操作部１０４を有している。一般的なデジタルビデオカメラと同様に、デジタルビデオカメラ１０１は右側面側に操作部材を有しており、さらに前面下側に突出することによって、後述する使用形態での利便性を向上させている。また、後面下側には後面下側端子配置部１０５を有している。
【００１２】
そして、前面下側の左側面側には左側面前面下側突起部１０６を有している。後面下側端子配置部１０５と左側面前面下側突起部１０６の役割については後述する。また、デジタルビデオカメラ１０１の下面側には下面前後移動肩当てユニット１０７が着脱・移動可能に取り付けられている。取り付けは後述する結合手段によって、デジタルビデオカメラ１０１の下面に締結されている。下面前後移動肩当てユニット１０７の詳細も後述する。
【００１３】
図１（ｂ）に示す通り、デジタルビデオカメラ１０１は後ろ面側に後面バッテリ取りつけ部１０８を有している。デジタルビデオカメラ１０１は一般的なデジタルビデオカメラと同様に後ろ面側に電源供給用のバッテリを着脱可能にするため後面バッテリ取りつけ部１０８を有している。
【００１４】
また、前述の後面下側端子配置部１０５の後ろ面側には後面下側端子１０９が配置されている。後面下側端子１０９は音声の入出力や電源の入出力が可能な端子で、一般的なデジタルビデオカメラに備えられている物である。
【００１５】
図１（ｃ）には、下面前後移動肩当てユニット１０７単体での斜視図を示す。下面前後移動肩当てユニット１０７は肩当てユニット主板１１０に肩パッド１１１と三脚結合部材１１２が取り付けられたユニットである。下面前後移動肩当てユニット１０７の使用状態については後述する。
【００１６】
図２の（ａ）、（ｂ）にはデジタルビデオカメラ１０１にレンズを取り付けた使用状態の斜視図を示す。図２の（ｃ）、（ｄ）には図２の（ａ）、（ｂ）の状態の下面視図をそれぞれ示す。図２（ａ）にはデジタルビデオカメラ１０１の交換レンズマウント部１０３に小型交換レンズ２０１を取り付けた状態を示し、図２（ｂ）にはデジタルビデオカメラ１０１の交換レンズマウント部１０３に大型交換レンズ２０２を取り付けた状態を示す。
【００１７】
小型交換レンズ２０１を取り付けた時と比較して、大型交換レンズ２０２を取り付けた時の方が、デジタルビデオカメラ１０１の重量は前側に重くなる。そのため、図２の（ａ）、（ｂ）で示す通り、下面前後移動肩当てユニット１０７の取り付け位置を小型交換レンズ２０１取り付け時よりも、大型交換レンズ２０２を取り付けた時に前側にすることでバランスをとることが可能になる。実際の使用状態については後述する。
【００１８】
下面前後移動肩当てユニット１０７の取り付けは図２（ｃ）に示す締結ボルト２０３を図の通り４本用いてデジタルビデオカメラ１０１の下面に設けられたネジ穴２０４に締結する。デジタルビデオカメラ１０１の下面には図の通りネジ穴２０４が前後方向に複数配列され、締結するネジ穴２０４を前後で変えることによって、図２の（ｃ）の状態から図２の（ｄ）の状態に移動可能である。
【００１９】
図３の（ａ）、（ｂ）にデジタルビデオカメラ１０１の実際の使用状態について示す。
【００２０】
デジタルビデオカメラの使用者３０１はデジタルビデオカメラ１０１を左肩３０２に肩パッド１１１が当接するように担ぐ。そのため、肩パッド１１１の位置はできるだけデジタルビデオカメラ１０１の重心に近いほうが前後のバランスがとりやすい。図３の（ａ）はデジタルビデオカメラ１０１に小型交換レンズ２０１を付けてデジタルビデオカメラの使用者３０１が担いでいる状態を示し、図３の（ｂ）はデジタルビデオカメラ１０１に大型交換レンズ２０２を付けてデジタルビデオカメラの使用者３０１が担いでいる状態を示す。
【００２１】
図２でも前述したとおり、下面前後移動肩当てユニット１０７が小型交換レンズ２０１取り付け時よりも、大型交換レンズ２０２を取り付けた時に前側になっている。図３の（ａ）、（ｂ）のように構成されることで、デジタルビデオカメラの使用者３０１の左肩３０２を中心にデジタルビデオカメラ１０１のバランスをとることが可能になっている。
【００２２】
また、右側面前面下側操作部１０４は、下面前後移動肩当てユニット１０７を前側に移動している図３の（ｂ）の状態でも、デジタルビデオカメラの使用者３０１の頭部３０３に干渉しないように、前面下側に突出することによって容易に操作が可能に構成されている。これが前述した右側面前面下側操作部１０４が前面下側に突出することによる利便性の向上である。
【００２３】
図４の（ａ）、（ｂ）にデジタルビデオカメラ１０１から下面前後移動肩当てユニット１０７を外した状態の斜視図を示す。これまで説明したようにデジタルビデオカメラ１０１を使用する際には下面前後移動肩当てユニット１０７を取り付けて使用するが、下面前後移動肩当てユニット１０７は取り付け位置を前後に移動可能であるがゆえに、デジタルビデオカメラ１０１は図４の（ａ）、（ｂ）で示すような下面前後移動肩当てユニット１０７が無い状態で一時的に置かれる可能性がある。
【００２４】
また、デジタルビデオカメラ１０１の製造段階では下面前後移動肩当てユニット１０７を取り付けるのは最後、または取り付けずに梱包してデジタルビデオカメラの使用者３０１が取り付ける可能性もある。そのため、デジタルビデオカメラ１０１は下面前後移動肩当てユニット１０７が無くても自立するように、右側面前面下側操作部１０４と後面下側端子配置部１０５及び左側面前面下側突起部１０６の３か所で支えられるように構成されている。また図に示す通り、右側面前面下側操作部１０４及び左側面前面下側突起部１０６の前面側は交換レンズマウント部１０３よりも前方に突出している。
【００２５】
次に左側面前面下側突起部１０６の詳細な形状を説明するため、図５にはデジタルビデオカメラ１０１をデジタルビデオカメラの使用者３０１が担いだ状態での左側面図を示す。
【００２６】
図に示す通り、左側面前面下側突起部１０６はデジタルビデオカメラの使用者３０１の左肩３０２に沿う形で、後ろ面側が前方に向かって下側に傾斜した面５０１を有している。また、左側面前面下側突起部１０６の下面は図中の点線５０２で示すように、後面下側端子配置部１０５の下面と略同一に構成されている。これは前述の通り、右側面前面下側操作部１０４と後面下側端子配置部１０５及び左側面前面下側突起部１０６の３か所で支えて自立させるためである。
【００２７】
図６には仮にデジタルビデオカメラ１０１に左側面前面下側突起部１０６が無かった場合の状態を示す。
【００２８】
水平な台６０１にデジタルビデオカメラ１０１が置かれた状態で左側面前面下側突起部１０６が支えていないと、図のように転倒してしまう。このような状態にならないためにも、右側面前面下側操作部１０４や後面下側端子配置部１０５とともに左側面前面下側突起部１０６で支えることが必要である。
【００２９】
これまで説明したように、左側面前面下側突起部１０６はデジタルビデオカメラ１０１の使用状態ではなく、一時的な下面前後移動肩当てユニット１０７取り外し状態や、製造段階での転倒防止用途で設けられている。そのため、デジタルビデオカメラ１０１の使用時には使われず、製造段階で使用されるような機能を配置する場所として適している。
【００３０】
図７にはデジタルビデオカメラ１０１から下面前後移動肩当てユニット１０７を取り外した状態の下側斜視図を示す。
【００３１】
左側面前面下側突起部１０６の後ろ面側に図の通り配置することで、製造段階や本体を調整するときに使用する手段を接続することが可能である。
【００３２】
また、図８に、デジタルビデオカメラ１０１本体に下面前後移動肩当てユニット１０７を取り付けた時の左側面図で工程端子７０１の位置関係が分かる状態を示す。
【００３３】
この図の通り、図中で点線で示す位置にある工程端子７０１は下面前後移動肩当てユニット１０７を取り付けた場合には、デジタルビデオカメラ１０１の使用者から視認困難かつ接続も困難になる。このように配置することによって、工程端子７０１を使用する必要が無い一般の使用者が誤って接続すること等を防ぐことが可能である。
【００３４】
一般的なデジタルビデオカメラでは接続端子の配置場所が用途に応じて最適な場所に配置する必要があるため、デジタルビデオカメラの使用者が使用しない端子は、できるだけ表出しない場所に配置されることがある。そのような端子の配置場所として、左側面前面下側突起部１０６を利用可能である。本実施例では端子を配置したが、適用可能な実施形態はこの限りではない。たとえば操作部材を左側面前面下側突起部１０６に配置することも可能であることは言うまでもない。
【符号の説明】
【００３５】
１０１  デジタルビデオカメラ、１０２  座標系ｘｙｚ、
１０３  交換レンズマウント部、１０４  右側面前面下側操作部、
１０５  後面下側端子配置部、１０６  左側面前面下側突起部、
１０７  下面前後移動肩当てユニット、１０８  後面バッテリ取りつけ部、
１０９  後面下側端子、１１０  肩当てユニット主板、１１１  肩パッド、
１１２  三脚結合部材、２０１  小型交換レンズ、２０２  大型交換レンズ、
２０３  締結ボルト、２０４  ネジ穴、３０１  デジタルビデオカメラの使用者、
３０２  左肩、３０３  頭部、５０１  傾斜した面、５０２  点線、６０１  水平な台、
７０１  工程端子
【図１】
2017139586.tif 000003
【図２】
2017139586.tif 000004
【図３】
2017139586.tif 000005
【図４】
2017139586.tif 000006
【図５】
2017139586.tif 000007
【図６】
2017139586.tif 000008
【図７】
2017139586.tif 000009
【図８】
2017139586.tif 000010